(57)【要約】【課題】大型化することなく構成部品の温度を低減できる光ピックアップ装置および光学式情報記録再生装置を提供する。【解決手段】光ピックアップ装置４は、光ディスク２に対向して配置された光学基台１２と、光を出射する発光素子１６と、発光素子１６からの光を光ディスク２に導く光ピックアップ光学系１４と、光ディスク２で反射された反射光を検出する受光素子１９と、光学基台１２に固定され、光学基台１２に対して発光素子１６を支持するとともに発光素子１６を内部に収容するスライドホルダ１７と、スライドホルダ１７の発光素子１６と反対側に固定されスライドホルダ１７に対して受光素子１９を支持する受光素子ホルダ２０とを備えている。受光素子ホルダ２０は、複数の孔２２を有している。【選択図】図４
2008041133.tif 000002
【特許請求の範囲】
【請求項１】
光学式情報記録媒体に対して情報の記録および再生を行う光ピックアップ装置であって、
ベース部材と、
光を出射する発光素子と、
前記発光素子からの光を前記光学式情報記録媒体に導く光ピックアップ光学系と、
前記光学式情報記録媒体で反射された反射光を検出する受光素子と、
前記ベース部材に固定され、前記ベース部材に対して前記発光素子を支持するとともに、前記発光素子を内部に収容する第１支持部材と、
前記第１支持部材に固定され、前記第１支持部材に対して前記受光素子を支持する第２支持部材と、を備え、
前記第１支持部材は、前記第２支持部材に固定される第１固定部と、前記第１固定部に隣接して配置され前記第２支持部材との間の少なくとも一部に空間が形成される第１非固定部とを有している、
光ピックアップ装置。
【請求項２】
前記第２支持部材は、前記第１固定部が固定される第２固定部と、前記第２固定部に隣接して配置され前記第２支持部材との間の少なくとも一部に空間が形成される第２非固定部とを有している、
請求項１に記載の光ピックアップ装置。
【請求項３】
光学式情報記録媒体に対して情報の記録および再生を行う光ピックアップ装置であって、
ベース部材と、
光を出射する発光素子と、
前記発光素子からの光を前記光学式情報記録媒体に導く光ピックアップ光学系と、
前記光学式情報記録媒体で反射された反射光を検出する受光素子と、
前記ベース部材に固定され、前記ベース部材に対して前記発光素子を支持するとともに、前記発光素子を内部に収容する第１支持部材と、
前記第１支持部材の前記発光素子と反対側に固定され、前記第１支持部材に対して前記受光素子を支持する第２支持部材と、を備え、
前記第２支持部材は、前記第１支持部材に固定される第２固定部と、前記第２固定部に隣接して配置され前記第２支持部材との間の少なくとも一部に空間が形成される第２非固定部とを有している、
光ピックアップ装置。
【請求項４】
前記第１非固定部は、前記第１固定部よりも窪んだ少なくとも１つの第１凹部を有している、
請求項１に記載の光ピックアップ装置。
【請求項５】
前記第１非固定部は、少なくとも１つの第１貫通孔を有している、
請求項１に記載の光ピックアップ装置。
【請求項６】
前記第２非固定部は、前記第２固定部よりも窪んだ少なくとも１つの第２凹部を有している、
請求項３に記載の光ピックアップ装置。
【請求項７】
前記第２非固定部は、少なくとも１つの第２貫通孔を有している、
請求項３に記載の光ピックアップ装置。
【請求項８】
前記第１非固定部は、少なくとも１つの第１貫通孔を有しており、
前記第２非固定部は、少なくとも１つの第２貫通孔を有しており、
前記第１貫通孔の少なくとも一部は、前記第２貫通孔の少なくとも一部と連通している、
請求項２に記載の光ピックアップ装置。
【請求項９】
前記第１非固定部は、複数の前記第１貫通孔を有しており、
前記第２非固定部は、複数の前記第２貫通孔を有している、
請求項８に記載の光ピックアップ装置。
【請求項１０】
前記複数の第１貫通孔は、内径が略同一であり、
前記複数の第２貫通孔は、内径が略同一である、
請求項９に記載の光ピックアップ装置。
【請求項１１】
前記第１および第２貫通孔は、内径が略同一である、
請求項１０に記載の光ピックアップ装置。
【請求項１２】
前記第１および第２貫通孔は、前記受光素子への入射光軸と略同一方向に延びている、
請求項９に記載の光ピックアップ装置。
【請求項１３】
前記第１および第２貫通孔は、前記光学式情報記録媒体の記録面に略直交する方向に延びている、
請求項９に記載の光ピックアップ装置。
【請求項１４】
前記複数の第１貫通孔は、格子状に配置されており、
前記複数の第２貫通孔は、前記複数の第１貫通孔と略同一のピッチで格子状に配置されており、
前記第１貫通孔の直径をＤ〔ｍ〕、隣り合う２つの前記第１貫通孔の最短距離をＲ〔ｍ〕とした場合に、
０＜Ｒ＜（√２−１）×Ｄ
を満たしている、請求項１１に記載の光ピックアップ装置。
【請求項１５】
前記光学式情報記録媒体を駆動する回転駆動装置と、
請求項１から１４のいずれかに記載の光ピックアップ装置と、
を備えた、光学式情報記録再生装置。
【発明の詳細な説明】
【技術分野】
【０００１】
本発明は、光ピックアップ装置、特に、光学式情報記録媒体に情報信号を記録もしくは再生するための光ピックアップ装置に関するものである。
【背景技術】
【０００２】
光学式情報記録媒体である光ディスク等にオーディオ信号、文字信号および映像信号等の情報を記録または再生する装置として、光学式情報記録再生装置が知られている。光学式情報記録再生装置には、光ピックアップ装置が搭載されている。
この光ピックアップ装置には、発光素子として半導体レーザ素子が設けられている。光ピックアップ装置では、半導体レーザ素子から出射されるレーザ光が、光ディスク等の情報記録面に照射されることで記録マークが記入され、情報の記録が行われる。また、光ピックアップ装置から情報記録面に照射されたレーザ光の反射光を受光素子としての光検出器で受光することで、情報の再生が行われる。
近年、光学式情報記録再生装置は、薄型ノートパソコン等に用いられる。このため、光ピックアップ装置も含めて光学式情報記録再生装置の小型化および高密度化が進んでいる。したがって、光ピックアップ装置は、半導体レーザ素子の発熱の影響を強く受け、高温条件下で動作している。
また、近年では情報を記録または再生する速度の向上が要求されている。記録再生の高速化のためには、出力の高い半導体レーザ素子を用いる必要がある。このため、半導体レーザの発振時に発生する熱量は大きくなる。例えば、現在の光ピックアップ装置に使用されているＤＶＤ−ＲＡＭ用半導体レーザ素子では、２倍速記録における発振時の温度は環境温度に対して１０〜１５℃程度上昇する。
【０００３】
さらに、半導体レーザ素子は、動作温度が高温になるとレーザ光の発光パワーが低下するため、低下した発光パワーに相当する駆動電流を増大しなければならない。そのため、消費電力が増加して半導体レーザ素子は高温となり、熱による素子寿命の劣化が発生する。
このように、光ピックアップ装置において、小型化と発熱量の増化による高発熱密度化は重要な課題であり、従来から種々の提案がなされている（例えば、特許文献１を参照。）。
【特許文献１】２００５−３１１１４７号公報
【発明の開示】
【発明が解決しようとする課題】
【０００４】
ここで、図２０から図２７を用いて従来の光ピックアップ装置について説明する。図２０に従来の光ピックアップ装置７０４の概略構成図、図２１に従来の光ピックアップ装置７０４の概略斜視図、図２２に従来の光ピックアップ装置７０４の光軸調整の説明図を示す。図２０および図２１に示すように、光ピックアップ装置７０４は主に、レーザ光を出射する発光素子７１６と、光ディスク（図示せず）で反射されたレーザ光の反射光を検出して電流に変換する受光素子７１９と、反射光を分離して受光素子７１９に導く光学素子７２１と、受光素子７１９を支持する受光素子ホルダ７２０と、発光素子７１６を支持するスライドホルダ７１７と、スライドホルダ７１７を支持するアオリホルダ７１８と、アオリホルダ７１８を支持する光学基台７１２と、発光素子７１６から出射されるレーザ光を反射する反射鏡７１１と、光ディスクの情報記録面にレーザ光の焦点を合わせるための対物レンズ７１３と、レーザ光の焦点を情報記録面に合わせるため対物レンズを光ディスクに対してフォーカス方向またはトラッキング方向に駆動させるアクチュエータ７１５とから構成されている。図２２に示すように、光ピックアップ装置７０４の光軸の調整は、スライドホルダ７１７を矢印７３０の方向に移動させ、アオリホルダ７１８を矢印７３１の方向に移動させ、受光素子ホルダ７２０を矢印７３２の方向に移動させることで行われる。
【０００５】
発光素子７１６および受光素子７１９は、それぞれレーザ光の出射時および受光時に熱を発生するが、これらの部品間にはスライドホルダ７１７とアオリホルダ７１８と受光素子ホルダ７２０とが介在するため、受光素子７１９から発生した熱が発光素子７１６に伝わって発光素子７１６が高温となることがない。このため、発光素子７１６の劣化も少なくなり、寿命も長い。
しかし、発光素子７１６と受光素子７１９との距離が離れているため、両部品を介在する光学基台７１２や受光素子ホルダ７２０等の部品で生じた熱膨張が、光学収差に与える影響が大きく、光学収差のずれの原因となる。
そこで、この課題を解決するために、図２３から図２５に示す光ピックアップ装置が提案されている。図２３に従来の光ピックアップ装置８０４の構成を示す正面図、図２４に従来の光ピックアップ装置８０４の構成を示す斜視図、図２５は従来の光ピックアップ装置８０４の光軸調整の説明図を示している。
図２３および図２４に示すように、光ピックアップ装置８０４は、光学素子８２１と受光素子ホルダ８２０とがスライドホルダ７１７に支持されることで、図２０に示した従来の光ピックアップ装置７０４に比べ、受光素子７１９と発光素子７１６との間の距離が短くなる。また、両素子７１９，７１６間に介在する部品は受光素子ホルダ８２０とスライドホルダ７１７だけであるため、これらの部品で生じた熱膨張が光学収差に与える影響は小さい。さらに、発光素子７１６と受光素子７１９との距離が短くなることにより、光学設計を従来に比べてコンパクトにまとめることができ、光ピックアップ装置８０４の小型化が容易になる。さらに、図２５および図２６に示すように、受光素子ホルダ８２０は光ディスクと対向する面に設置される場合もある。
【０００６】
しかし、発光素子７１６および受光素子ホルダ８２０は発熱するため、両素子７１９，８２０間の距離が短くなることにより、放熱が困難になる。図２３および図２５に示した光ピックアップ装置８０４では、受光素子７１９から発生した熱は受光素子ホルダ８２０とスライドホルダ７１７に伝わる。発光素子７１６から発生した熱は最初にスライドホルダ７１７に伝わるが、受光素子ホルダ８２０から伝わった熱によってスライドホルダ７１７は高温となり、発光素子７１６からスライドホルダ７１７に熱が伝わりにくくなる。このため、発光素子７１６は高温になり、熱により劣化しやすくなり、発光素子７１６において放熱対策が必要となる。新たな放熱部品を設ける場合、コストが増加し、さらに、部品を追加することにより大型化は避けられない。
このように、従来の光ピックアップ装置では、従来の構成に大きな変更を加えることなく、発光素子などの構成部品の温度を低減することが望まれている。
本発明の課題は、装置を大型化することなく構成部品の温度を低減できる光ピックアップ装置および光学式情報記録再生装置を提供することにある。
【課題を解決するための手段】
【０００７】
第１の発明に係る光ピックアップ装置は、光学式情報記録媒体に対して情報の記録および再生を行う光ピックアップ装置であって、ベース部材と、光を出射する発光素子と、発光素子からの光を光学式情報記録媒体に導く光ピックアップ光学系と、光学式情報記録媒体で反射された反射光を検出する受光素子と、ベース部材に固定され、ベース部材に対して発光素子を支持するとともに、発光素子を内部に収容する第１支持部材と、第１支持部材に固定され第１支持部材に対して受光素子を支持する第２支持部材と、を備えている。第１支持部材は、第２支持部材に固定される第１固定部と、第１固定部に隣接して配置され第２支持部材との間の少なくとも一部に空間が形成される第１非固定部とを有している。
この光ピックアップ装置では、第１支持部材が第１非固定部を有しているため、従来に比べて第１支持部材と第２支持部材との接触面積が小さくなる。すなわち、第１支持部材と第２支持部材との間の伝熱面積が小さくなり、発光素子と受光素子との間の伝熱量が減少する。これにより、この光ピックアップ装置では、装置を大型化することなく構成部品の温度を低減することができる。
ここで、受光素子および第２支持部材は、別の部材に限られず、一体の部材であってもよい。
【０００８】
第２の発明に係る光ピックアップ装置は、第１の発明に係る装置において、第２支持部材が、第１固定部が固定される第２固定部と、第２固定部に隣接して配置され第２支持部材との間の少なくとも一部に空間が形成される第２非固定部とを有している。
この光ピックアップ装置では、第２支持部材が第２非固定部を有しているため、従来に比べて第１支持部材と第２支持部材との接触面積が小さくなる。すなわち、第１支持部材と第２支持部材との間の伝熱面積が小さくなる。これにより、発光素子と受光素子との間の伝熱量がさらに減少し、構成部品の温度上昇をより確実に防止することができる。
第３の発明に係る光ピックアップ装置は、光学式情報記録媒体に対して情報の記録および再生を行う光ピックアップ装置であって、ベース部材と、光を出射する発光素子と、発光素子からの光を光学式情報記録媒体に導く光ピックアップ光学系と、光学式情報記録媒体で反射された反射光を検出する受光素子と、ベース部材に固定され、ベース部材に対して発光素子を支持するとともに、発光素子を内部に収容する第１支持部材と、第１支持部材の発光素子と反対側に固定され、第１支持部材に対して受光素子を支持する第２支持部材と、を備えている。第２支持部材は、第１支持部材に固定される第２固定部と、第２固定部に隣接して配置され第２支持部材との間の少なくとも一部に空間が形成される第２非固定部とを有している。
【０００９】
この光ピックアップ装置では、第２支持部材が第２非固定部を有しているため、従来に比べて第１支持部材と第２支持部材との接触面積が小さくなる。すなわち、第１支持部材と第２支持部材との間の伝熱面積が小さくなり、発光素子と受光素子との間の伝熱量が減少する。これにより、この光ピックアップ装置では、装置を大型化することなく構成部品の温度を低減することができる。
第４の発明に係る光ピックアップ装置は、第１の発明に係る装置において、第１非固定部が、第１固定部よりも窪んだ少なくとも１つの第１凹部を有している。
第５の発明に係る光ピックアップ装置は、第１の発明に係る装置において、第１非固定部が、少なくとも１つの第１貫通孔を有している。
第６の発明に係る光ピックアップ装置は、第３の発明に係る装置において、第２非固定部が、第２固定部よりも窪んだ少なくとも１つの第２凹部を有している。
第７の発明に係る光ピックアップ装置は、第３の発明に係る装置において、第２非固定部は、少なくとも１つの第２貫通孔を有している。
第８の発明に係る光ピックアップ装置は、第２の発明に係る装置において、第１非固定部が、少なくとも１つの第１貫通孔を有している。第２非固定部は、少なくとも１つの第２貫通孔を有している。第１貫通孔の少なくとも一部は、第２貫通孔の少なくとも一部と連通している。
【００１０】
この場合、第１および第２貫通孔の連通部分を介して第１支持部材の内部に空気が流入しやすくなる。これにより、発光素子、第１支持部材および第２支持部材の冷却効果を高めることができ、構成部品の温度を低減することができる。
第９の発明に係る光ピックアップ装置は、第８の発明に係る装置において、第１非固定部が、複数の第１貫通孔を有している。第２非固定部は、複数の第２貫通孔を有している。
この場合、第１および第２非固定部の面積がより大きくなる。すなわち、第１および第２支持部材の伝熱面積がより小さくなる。
第１０の発明に係る光ピックアップ装置は、第９の発明に係る装置において、複数の第１貫通孔は内径が略同一である。複数の第２貫通孔は、内径が略同一である。
この場合、第１および第２貫通孔の加工が容易になる。
第１１の発明に係る光ピックアップ装置は、第１０の発明に係る装置において、第１および第２貫通孔は、内径が略同一である。
この場合、第１および第２貫通孔の加工がより容易になる。
第１２の発明に係る光ピックアップ装置は、第９の発明に係る装置において、第１および第２貫通孔が、受光素子への入射光軸と略同一方向に延びている。
【００１１】
この場合、受光素子の位置決めの際に第２支持部材を第１支持部材に対して入射光軸と直交する方向に移動させると、複数の第１および第２貫通孔の重なり合う部分の面積が変化する。例えば、第１および第２貫通孔の重複部分の面積が増加すると、第１および第２固定部の面積が大きくなり伝熱量が増加するが、重複部分から流入する冷却空気量が増加する。また、第１および第２貫通孔の重複部分の面積が減少すると、重複部分から流入する冷却空気量が減少するが、第１および第２固定部の面積が小さくなり伝熱量が減少する。
このように、この光ピックアップ装置では、受光素子の位置決めにより第１支持部材と第２支持部材との相対位置が多少変化しても、構成部品の温度上昇を確実に防止することができる。
第１３の発明に係る光ピックアップ装置は、第９の発明に係る装置において、第１および第２貫通孔が、光学式情報記録媒体の記録面に略直交する方向に延びている。
この場合、光学式情報記録媒体の回転により、例えば発光素子周辺の空気が第１および第２貫通孔の重複部分を通って外部に引き込まれる。これにより、発光素子の冷却をさらに促進することができる。
【００１２】
第１４の発明に係る光ピックアップ装置は、第１１の発明に係る装置において、複数の第１貫通孔が格子状に配置されている。複数の第２貫通孔は、複数の第１貫通孔と略同一のピッチで格子状に配置されている。第１貫通孔の直径をＤ〔ｍ〕、隣り合う２つの第１貫通孔の最短距離をＲ〔ｍ〕とした場合に、０＜Ｒ＜（√２−１）×Ｄを満たしている。
この場合、第１貫通孔と第２貫通孔とが確実に重なり合う。
第１５の発明に係る光ピックアップ装置は、光学式情報記録媒体を駆動する回転駆動装置と、第１から１４のいずれかに記載の光ピックアップ装置と、を備えている。
この光学式情報記録再生装置では、第１から１４のいずれかに記載の光ピックアップ装置を備えているため、装置を大型化することなく構成部品の温度を低減することができる。
【発明の効果】
【００１３】
本発明に係る光ピックアップ装置および光学式情報記録再生装置では、上記の構成を有しているため、装置を大型化することなく構成部品の温度を低減することができる。
【発明を実施するための最良の形態】
【００１４】
以下、図面を参照しながら本発明の実施形態について説明する。
〔第１実施形態〕
＜記録再生装置の構成＞
図１および図２を用いて、本発明の第１実施形態に係る光ピックアップ装置４が搭載された光学式情報記録再生装置（以下、記録再生装置という）１の構成について説明する。図１に記録再生装置１の概略斜視図、図２に記録再生装置１の部分斜視図を示す。
図１に示すように、光学式ディスクドライブとしての記録再生装置１は主に、トラバースベース６と、トラバースベース６上に設置され光ディスク２を回転させる回転駆動装置としてのスピンドルモータ７と、光ディスク２に対して情報の記録および再生を行う光ピックアップ装置４と、光ディスク２に対して光ピックアップ装置４を移動可能に支持する移動機構５とから構成されている。使用状態においては、図１に示すように、カートリッジ３に内蔵された光ディスク２が記録再生装置１内に設置される。
移動機構５は主に、光ピックアップ装置４が固定された駆動台８と、駆動台８を移動させるための２本のシャフト９ａ，９ｂと、一方のシャフト９ａを回転させるモータ（図示せず）を備えた支持台１０とから構成されている。一方のシャフト９ａが回転することで、駆動台８が光ディスク２の半径方向に移動する。他方のシャフト９ｂは、駆動台８を移動可能に支持している。駆動台８はシャフト９ｂに沿って移動する。駆動台８上には光ピックアップ装置４が設置されており、駆動台８と一体となって移動する。これにより、光ピックアップ装置４は光ディスク２に対して、外周側および内周側に移動可能である。なお、光ピックアップ装置４を光ディスク２に対して移動させる機構は、上述の機構に限定されない。
【００１５】
図２に示すように、光ディスク２はカートリッジ３に内蔵されて保護されている。カートリッジ３には開口部３ａが形成されており、開口部３ａでは光ディスク２が外部に露出している。開口部３ａに対応する位置には、光ピックアップ装置４が光ディスク２の半径方向に移動可能に配置されている。
＜光ピックアップ装置の構成＞
図３および図４を用いて光ピックアップ装置４の構成について説明する。図３に光ピックアップ装置４の概略構成図、図４に光ピックアップ装置４の半導体レーザユニット２７周辺の概略斜視図を示す。なお、図３および図４において、受光素子１９への入射光軸Ｌ２に沿った方向（図３の左右方向）をＸ軸方向、発光素子１６の出射光軸Ｌ１に沿った方向（図３の上下方向）をＹ軸方向、Ｘ軸およびＹ軸に直交する方向（図３の紙面に垂直な方向）をＺ軸方向とし、図３において、右側をＸ軸方向正側、上側をＹ軸方向正側、紙面手前側をＺ軸方向正側とする。
図３に示すように、光ピックアップ装置４は主に、ベース部材としての光学基台１２と、レーザ光を出射するとともに光ディスク２からの反射光を受光する半導体レーザユニット２７と、発光素子１６から出射されるレーザ光を光ディスク２の情報記録面に導く光ピックアップ光学系１４とから構成されている。
【００１６】
図３および図４に示すように、半導体レーザユニット２７は主に、レーザ光を出射する半導体レーザ素子などの発光素子１６と、光ディスク２の記録面で反射されたレーザ光を検出して電流値に変換する受光素子１９と、発光素子１６から出射されたレーザ光からレーザ光の反射光を分離して受光素子１９に導くホログラムなどの光学素子２１と、光学基台１２に固定され発光素子１６および受光素子１９を支持する支持機構２８とから構成されている。支持機構２８の詳細については後述する。
光ピックアップ光学系１４は、例えば発光素子１６からのレーザ光を折り曲げるプリズムなどの反射鏡１１と、反射鏡１１により折り曲げられたレーザ光を光ディスク２の記録面上に集光させる対物レンズ１３と、対物レンズ１３を光ディスク２に対してフォーカス方向およびトラッキング方向に駆動するアクチュエータ１５とから構成されている。
光ピックアップ装置４は、支持機構２８の構成に特徴を有している。具体的には図３および図４に示すように、支持機構２８は主に、発光素子１６が固定されとともに発光素子１６を内部に収容する第１支持部材の一部としてのスライドホルダ１７と、光学基台１２に対してスライドホルダ１７を支持する第１支持部材の一部としてのアオリホルダ１８と、スライドホルダ１７の外部に固定されスライドホルダ１７に対して受光素子１９を支持する第２支持部材としての受光素子ホルダ２０とから構成されている。
【００１７】
スライドホルダ１７は、光軸調整時において、Ｘ−Ｙ平面に沿った方向（より詳細には、アオリホルダ１８の端面に沿った方向）に発光素子１６の位置を調整するための部材である。具体的には図４に示すように、スライドホルダ１７は、Ｘ軸方向に延びる板状のスライドプレート２４と、スライドプレート２４のＹ軸方向正側に固定された箱状のケース２５とから構成されている。ケース２５のＺ軸方向両側には、発光素子１６に対応する部分に２つの開口部２５ｂが形成されている。ケース２５のＹ軸方向正側には、発光素子１６から出射されるレーザ光が通過する開口（図示せず）が形成されており、その開口を覆うように光学素子２１が固定されている。ケース２５のＸ軸方向正側（光ディスク２の回転方向前方側）の側壁２５ａには、受光素子ホルダ２０が固定されている。
アオリホルダ１８は、光軸調整時において、Ｚ軸に沿った軸を中心に発光素子１６の出射光軸Ｌ１の角度を調整するための部材である。具体的には図４に示すように、アオリホルダ１８は、スライドホルダ１７のＹ軸方向負側に配置されている。アオリホルダ１８のＹ軸方向負側には、Ｚ軸に沿った軸を中心とした円筒状の面が形成されている。
スライドホルダ１７およびアオリホルダ１８により、発光素子１６の出射光軸Ｌ１の位置および角度を調整することができる。なお、光軸調整後、スライドホルダ１７はアオリホルダ１８に接着により固定され、アオリホルダ１８は光学基台１２に接着により固定される。
【００１８】
受光素子ホルダ２０は、受光素子１９をスライドホルダ１７に対して支持している。具体的には図４に示すように、受光素子ホルダ２０は、スライドホルダ１７の側壁２５ａに沿ってＹ軸方向に延びる板状の部材であり、例えば側壁２５ａに接着により固定されている。受光素子ホルダ２０のＹ軸方向正側の端部には、受光素子１９が接着により固定されている。受光素子１９は、受光部が光学素子２１とＸ軸方向に対向するとともに、光軸が所定の位置になるよう位置決めされている。
図４に示すように、受光素子ホルダ２０は、第１貫通孔としての複数の孔２２を有している。複数の孔２２は、内径が同一であり、等間隔で格子状に配置されている。孔２２は、Ｘ軸方向（受光素子１９への入射光軸Ｌ２に沿った方向）に延びている。側壁２５ａには孔は形成されていない。
ここで、図５を用いて、受光素子ホルダ２０と側壁２５ａとの固定状態について説明する。図５に受光素子ホルダ２０と側壁２５ａとの固定状態の模式図を示す。図５は、ケース２５のＸ軸方向正側から見た受光素子ホルダ２０の透過図であり、図５に示す斜線部は、受光素子ホルダ２０と側壁２５ａとが固定されている固定領域４０を示している。
図５に示すように、第１および第２固定部としての固定領域４０において、受光素子ホルダ２０と側壁２５ａとは接着により固定されている。すなわち、固定領域４０では、受光素子ホルダ２０と側壁２５ａとは接着剤を介して間接的に当接している。固定領域４０は、孔２２に隣接して配置されている。第１および第２非固定部としての孔２２の領域は側壁２５ａに固定されておらず、孔２２の領域において受光素子ホルダ２０と側壁２５ａとの間には空間が確保されている。
【００１９】
図５から明らかなように、受光素子ホルダ２０に孔２２が形成されているため、孔がない場合と比べて、受光素子ホルダ２０およびスライドホルダ１７の固定領域４０の面積（接触面積または伝熱面積）が小さい。
なお、受光素子ホルダ２０は側壁２５ａとほぼ同程度の外形寸法を有している。このため、受光素子１９を支持するための受光素子ホルダ２０の強度は確保される。
＜記録再生装置の動作＞
図１〜図４を用いて、記録再生装置１の動作について説明する。
図１および図２に示すように、スピンドルモータ７によりカートリッジ３内の光ディスク２が回転駆動される。カートリッジ３の開口部３ａにおいて、光ディスク２の表面に形成された情報記録面の一部が露出している。光ディスク２の回転により、情報記録面の全てが外部に順次露出する。光ピックアップ装置４からレーザ光が情報記録面に対して出射される。光ピックアップ装置４は、移動機構５により光ディスク２に対して半径方向に駆動される。以上の構成により、光ピックアップ装置４からのレーザ光の照射位置を変更することができる。
また、光ピックアップ装置４の内部では、図３および図４に示すように、発光素子１６からＹ軸方向正側にレーザ光が出射される。このレーザ光は、反射鏡１１によりＸ軸方向正側に折り曲げられ、対物レンズ１３に入射する。対物レンズ１３は、アクチュエータ１５によりフォーカス方向およびトラッキング方向に移動可能であり、対物レンズ１３によりレーザ光が光ディスク２の情報記録面に集光される。
【００２０】
情報記録面で反射したレーザ光は、対物レンズ１３、反射鏡１１を介して光学素子２１に入射し、光学素子２１により受光素子１９へ導かれる。光学素子２１からのレーザ光は、受光素子１９により電流値に変換され、その電流値に基づいて情報記録面に記録されている情報が再生される。
ここで、図６を用いて、光ピックアップ装置４における伝熱経路について説明する。前述のように、発光素子１６および受光素子１９はレーザ光の出射および受光により発熱する。図６（ａ）に示すように、従来の光ピックアップ装置では、発光素子で発生した熱は、スライドホルダ、アオリホルダおよび光学基台を介して放熱される。一方、受光素子で発生した熱は、受光素子ホルダを介してスライドホルダ１７に伝達される。したがって、スライドホルダの温度が上昇し、それに伴い発光素子からスライドホルダへの伝熱が妨げられる。この結果、発光素子およびスライドホルダの温度が上昇する。
しかし、受光素子ホルダ２０は複数の孔２２を有しており、受光素子ホルダ２０およびスライドホルダ１７のケース２５の間の伝熱面積（固定領域４０の面積）は従来に比べて小さい。すなわち、受光素子ホルダ２０により受光素子１９およびスライドホルダ１７の間において断熱効果が得られる。このため、図６（ｂ）に示すように、受光素子１９からスライドホルダ１７への伝熱量が従来に比べて減少し、発光素子１６の周辺部材の温度上昇を抑制することができる。これにより、発光素子１６からスライドホルダ１７への伝熱が妨げられず、発光素子１６で発生した熱がスライドホルダ１７、アオリホルダ１８および光学基台１２を介して放熱されやすくなり、発光素子１６周辺の放熱効率が向上する。
【００２１】
一方で、半導体レーザユニット２７周辺には、光ディスク２の回転により概ね光ディスク２の円周方向に沿った方向へ空気の流れが生じる。このため、受光素子１９からスライドホルダ１７への伝熱量が減少しても、受光素子１９は周辺の空気の流れにより冷却される。
以上のように、この光ピックアップ装置４では、特別な放熱対策の部品を追加することなく、半導体レーザユニット２７の放熱効率を向上させることができる。これにより、この光ピックアップ装置４では、装置を大型化することなく構成部品の温度を低減することができる。
また、受光素子１９とスライドホルダ１７との間に介在し、スライドホルダ１７に対して受光素子１９の位置を固定する部材が受光素子ホルダ２０だけであるので、部材の熱膨張による光路に対する受光素子１９のずれを小さくすることができる。
例えば、スライドホルダと受光素子ホルダとの間に断熱シートを挟み込むものが提案されているが、この場合、受光素子ホルダの熱膨張に加えて断熱シートも熱膨張するため、断熱シートがない場合に比べて、断熱効果は向上するが光路に対する受光素子のずれがより大きくなる。しかし、この光ピックアップ装置４では、受光素子ホルダ２０をスライドホルダ１７に直接固定しているため、断熱効果を高めつつ部材の熱膨張による受光素子１９のずれを防止することができる。
【００２２】
なお、孔２２は貫通していなくてもよく、受光素子ホルダ２０とスライドホルダ１７のケース２５とが接触する面において、窪んだ凹部であってもよい。
また、孔２２はスライドホルダ１７のケース２５側に形成されていてもよい。
また、受光素子１９で発生した熱を効果的に放熱するための手段として、受光素子１９と光学基台１２との間にグラファイトシートや銅箔等などの高熱伝導性のシート状の部材、あるいは放熱グリス等の高熱伝導性の材料を用いてもよい。
また、受光素子１９からの伝熱経路は、光学基台１２以外に、ＦＰＣ（フレキシブルプリント基板）やＦＰＣを抑えるためのカバー、あるいはアクチュエータ１５を支持するアクチュエータベース（図示せず）などであってもよい。
〔第２実施形態〕
前述の第１実施形態では、受光素子ホルダ２０にのみ孔２２が設けられているが、受光素子ホルダ２０およびケース２５の側壁２５ａの両方に孔が設けられている場合も考えられる。図７〜図９を用いて、本発明の第２実施形態に係る光ピックアップ装置１０４について説明する。図７に光ピックアップ装置１０４の概略構成図、図８に光ピックアップ装置１０４の半導体レーザユニット１２７周辺の概略斜視図、図９にスライドホルダ１１７周辺の概略斜視図を示す。なお、前述の実施形態と同じ構成については同じ符号を付すこととし、これらについての詳細な説明は省略する。
【００２３】
図７〜図９に示すように、光ピックアップ装置１０４の支持機構１２８は、スライドホルダ１１７と、スライドホルダ１１７に固定された受光素子ホルダ２０とを有している。前述の実施形態と同様に、受光素子ホルダ２０は複数の孔２２を有している。
一方、スライドホルダ１１７はケース１２５の側壁１２５ａに複数の孔１２３を有している。孔１２３は、孔２２とほぼ同一の内径を有しており、孔２２とほぼ同一のピッチで格子状に配置されている。
ここで、図１０を用いて、受光素子ホルダ２０と側壁１２５ａとの固定状態について説明する。図１０に受光素子ホルダ２０と側壁１２５ａとの固定状態の模式図を示す。図１０はケース１２５のＸ軸方向正側から見た受光素子ホルダ２０の透過図であり、図１０の斜線部は受光素子ホルダ２０と側壁１２５ａとが固定されている固定領域１４０を示している。また、図１０（ａ）は孔２２および孔１２３が完全に重なった状態、図１０（ｂ）は孔２２および孔１２３がずれている状態を示している。
図１０（ａ）に示すように、第１および第２固定部としての固定領域１４０において、受光素子ホルダ２０と側壁１２５ａとは接着により固定されている。すなわち、固定領域１４０では、受光素子ホルダ２０と側壁１２５ａとは接着剤を介して間接的に当接している。固定領域１４０は孔２２および孔１２３に隣接して配置されている。第１非固定部としての孔１２３の領域は受光素子ホルダ２０に固定されておらず、第２非固定部としての孔２２の領域は側壁１２５ａに固定されていない。孔２２および孔１２３の領域において、受光素子ホルダ２０と側壁１２５ａとの間には空間が確保されており、孔２２および孔１２３が重なり合う領域には流路１４１が形成される。この流路１４１は、受光素子ホルダ２０および側壁１２５ａをＸ軸方向に貫通している。このため、ケース１２５の外部から内部へ空気が流入しやすくなり、ケース２５内に配置された発光素子１６が冷却されやすくなる。
【００２４】
例えば図１１および図１２に示すように、光ディスク２の回転により光ピックアップ装置４周辺には矢印３８のような空気の流れが生じる。これにより、空気が流路１４１を通りケース２５の内部に流入し、発光素子１６の冷却が促進される。
さらに、孔２２および孔１２３の重なり具合によって、前述の固定領域１４０および流路１４１の面積が変化する。例えば図１０（ａ）に示すように、孔２２と孔１２３とが完全に重なり合う場合、固定領域１４０の面積は前述の実施形態と同様であるが、それに加えて最大の流路１４１の面積を確保することができる。この場合、図１３に示すように、受光素子ホルダ２０による断熱効果Ｂに加えて、流路１４１による冷却効果Ａが得られる。断熱効果Ｂとは、実施の形態１において説明したものと同様の効果であり、図６（ｂ）によって説明された伝熱経路によって構成部品の温度を低減する効果をいう。また、冷却効果Ａとは、上述のように、受光素子ホルダ２０および側壁１２５ａをＸ軸方向に貫通している流路１４１を通って、ケース１２５の外部から内部へ空気が流入しやすくなり、ケース２５内に配置された発光素子１６が冷却されやすくなる効果をいう。
一方、図１０（ｂ）に示すように、孔２２と孔１２３とがずれている場合、図１０（ａ）の状態に比べて、固定領域１４０および流路１４１の面積がともに減少する。この場合、図１３に示すように、図１０（ａ）の場合に比べて、流路１４１による冷却効果Ａが減少するが、固定領域１４０の面積が減少するため受光素子ホルダ２０による断熱効果Ｂが高まる。したがって、全体として図１０（ａ）の場合と同程度の効果が得られる。
【００２５】
このように、この光ピックアップ装置１０４では、前述の実施形態の断熱効果に加えて、流路１４１による冷却効果が得られる。そして、受光素子１９の位置決め後の受光素子ホルダ２０とケース１２５との相対位置に関わらず、断熱効果および冷却効果の総和を同程度に確保することができる。これにより、光ピックアップ装置１０４では、装置を大型化することなく構成部品の温度を低減することができる。また、受光素子１９の位置決めによる受光素子ホルダ２０とケース１２５との相対位置に関わらず、構成部品の温度を低減することができる。
さらに、図１４に示すように、孔２２，１２３の内径をＲ〔ｍ〕、隣接する孔１２３同士の間の最短距離をＤ〔ｍ〕とし、以下の式（１）を満たしている場合、側壁２５ａおよび受光素子ホルダ２０の位置関係にかかわらず、常に孔２２および孔１２３は重なり合う。
０＜Ｄ＜（√２−１）×Ｒ  ・・・・  （１）
すなわち、式（１）を満たすように孔２２，１２３の径や位置を決定すれば、常に流路１４１を確保することができる。この場合、図８に示すように、例えばスライドホルダ１７およびアオリホルダ１８を固定した後に受光素子１９の位置調整を行う場合、Ｙ−Ｚ平面に沿った方向（矢印３５および３６の方向）に一体となった受光素子１９および受光素子ホルダ２０を移動させても、孔２２および孔１２３の少なくとも一部が必ず重なり合い、流路１４１が常に形成される。したがって、上記の式（１）を満たす場合は、空気による冷却効果を確実に得ることができる。
【００２６】
〔第３実施形態〕
前述の第１および第２実施形態に加えて、以下のような実施形態も考えられる。図１５および図１６を用いて、本発明の第３実施形態に係る光ピックアップ装置２０４について説明する。図１５に光ピックアップ装置２０４の概略構成図、図１６にスライドホルダ２１７周辺の概略斜視図を示す。なお、前述の実施形態と同じ構成については同じ符号を付すこととし、これらについての詳細な説明は省略する。
図１５および図１６に示すように、光ピックアップ装置２０４のスライドホルダ２１７では、ケース２２５のＺ軸方向正側の側壁２２５ｃに複数の孔２２３が設けられている。この場合、図１６に示すように、受光素子ホルダ２２０はＬ字形状を有しており、受光素子ホルダ２２０のＸ軸方向に延びる部分２２０ａにはＺ軸方向に延びる複数の孔２２２が形成されている。また、側壁２２５ｃにはＺ軸方向に延びる孔２２３が形成されている。
受光素子１９を位置決めする際に、例えばＸ−Ｙ平面に沿った方向に受光素子１９および受光素子ホルダ２２０を移動させたい場合は、ケース２２５の側壁２２５ｃに受光素子ホルダ２２０の部分２２０ｂを当接させて位置決めが行われる。この場合、前述の第１および第２実施形態と同様の作用効果を得ることができる。
【００２７】
なお、従来と同様に、Ｙ−Ｚ平面に沿った方向に受光素子１９および受光素子ホルダ２２０を移動させたい場合は、ケース２２５の側壁２２５ａとに受光素子ホルダ２２０を当接させて位置決めが行われる。この場合、接触面積は従来と同様であるが、孔２２２および孔２２３により空気による冷却効果を得ることができる。
〔第４実施形態〕
前述の第１〜第３実施形態では、受光素子１９への入射光軸がＸ軸方向に沿った方向の場合であるが、受光素子１９への入射光軸がＺ軸方向に沿った方向の場合も考えられる。図１７〜図１９を用いて、本発明の第４実施形態に係る光ピックアップ装置３０４について説明する。図１７に光ピックアップ装置３０４の概略構成図、図１８にスライドホルダ３１７周辺の分解斜視図、図１９にスライドホルダ３１７周辺の概略斜視図を示す。
図１７〜図１９に示すように、この光ピックアップ装置３０４では、受光素子１９および受光素子ホルダ３２０がスライドホルダ３１７のケース３２５のＺ軸方向正側に配置されている。受光素子ホルダ３２０は、Ｚ軸方向に延びる複数の孔３２２を有している。ケース３２５の側壁３２５ｃは、Ｚ軸方向に延びる複数の孔３２３を有している。
この場合であっても、図１９に示すように、孔３２２および孔３２３を介して空気がケース３２５内に流入し、発光素子１６が冷却される。このように、光ピックアップ装置３０４では、前述の第２実施形態と同様の作用効果を得ることができる。
【００２８】
〔他の実施形態〕
本発明の具体的な構成は、前述の実施形態に限られるものではなく、発明の要旨を逸脱しない範囲で種々の変更および修正が可能である。
例えば、本発明に係る記録再生装置は、上記の構成に限定されない。
また、孔の形状、配置などは前述のものに限定されない。
また、前述の実施形態では、受光素子ホルダおよび受光素子は別の部材から構成されているが、一体の部材であってもよい。
【産業上の利用可能性】
【００２９】
本発明に係る光ピックアップ装置および光学式情報記録再生装置は、装置を大型化することなく構成部品の温度を低減することができる。このため、小型化が必要とされる、あるいは、高熱化しやすい、大容量の記録媒体からの読み出しや、高倍速記録を行う光学式情報記録再生装置として有用である。
【図面の簡単な説明】
【００３０】
【図１】本発明の第１実施形態に係る記録再生装置の概略斜視図
【図２】本発明の第１実施形態に係る記録再生装置の一部の概略斜視図
【図３】本発明の第１実施形態に係る光ピックアップ装置の概略構成図
【図４】半導体レーザユニット周辺の概略斜視図
【図５】受光素子ホルダと側壁との固定状態の模式図
【図６】本発明の第３実施形態に係る光ピックアップ装置における伝熱経路の模式図
【図７】本発明の第２実施形態に係る光ピックアップ装置の概略構成図
【図８】半導体レーザユニット周辺の概略斜視図
【図９】スライドホルダ周辺の概略斜視図
【図１０】受光素子ホルダと側壁との固定状態の模式図
【図１１】光ディスク周辺の空気の流れを示す図
【図１２】スライドホルダ周辺の空気の流れを示す図
【図１３】本発明の第２実施形態に係る光ピックアップ装置の温度低減効果の説明図
【図１４】孔の寸法関係を示す図
【図１５】本発明の第３実施形態に係る光ピックアップ装置の概略構成図
【図１６】スライドホルダ周辺の概略斜視図
【図１７】本発明の第４実施形態に係る光ピックアップ装置の概略構成図
【図１８】スライドホルダ周辺の概略斜視図
【図１９】スライドホルダ周辺の空気の流れを示す図
【図２０】従来の光ピックアップ装置の概略構成図
【図２１】従来の光ピックアップ装置の概略斜視図
【図２２】従来の光ピックアップ装置の光軸調整の説明図
【図２３】従来の光ピックアップ装置の概略構成図
【図２４】従来の光ピックアップ装置の概略斜視図
【図２５】従来の光ピックアップ装置の光軸調整の説明図
【図２６】従来の光ピックアップ装置の概略構成図
【図２７】従来の光ピックアップ装置の概略斜視図
【符号の説明】
【００３１】
１  記録再生装置
２  光ディスク（光学式情報記録媒体）
３  ディスクカートリッジ
４  光ピックアップ装置
５  モータシャフト
６  トラバースベース
７  スピンドルモータ（回転駆動装置）
８  駆動台
９  シャフト
１０  支持台
１１  反射鏡
１２  光学基台（ベース部材）
１３  対物レンズ
１４  レーザ光
１５  アクチュエータ
１６  発光素子
１７  スライドホルダ（第１支持部材）
１８  アオリホルダ（第１支持部材）
１９  受光素子
２０  受光素子ホルダ（第２支持部材）
２１  光学素子
２２  孔（第２非固定部）
２３  孔（第１非固定部）
【図１】
2008041133.tif 000003
【図２】
2008041133.tif 000004
【図３】
2008041133.tif 000005
【図４】
2008041133.tif 000006
【図５】
2008041133.tif 000007
【図６】
2008041133.tif 000008
【図７】
2008041133.tif 000009
【図８】
2008041133.tif 000010
【図９】
2008041133.tif 000011
【図１０】
2008041133.tif 000012
【図１１】
2008041133.tif 000013
【図１２】
2008041133.tif 000014
【図１３】
2008041133.tif 000015
【図１４】
2008041133.tif 000016
【図１５】
2008041133.tif 000017
【図１６】
2008041133.tif 000018
【図１７】
2008041133.tif 000019
【図１８】
2008041133.tif 000020
【図１９】
2008041133.tif 000021
【図２０】
2008041133.tif 000022
【図２１】
2008041133.tif 000023
【図２２】
2008041133.tif 000024
【図２３】
2008041133.tif 000025
【図２４】
2008041133.tif 000026
【図２５】
2008041133.tif 000027
【図２６】
2008041133.tif 000028
【図２７】
2008041133.tif 000029